(57)【要約】【課題】異常発生時にパージ処理とリカバリ処理とを実行する際、生産性を維持しつつ、許容されない重複出力を有効に防止する。【解決手段】正常に画像形成された用紙を第１排出部１８０ａに排出するように搬送部１１０を制御し、異常が検知された場合における残留用紙をパージ処理として第２排出部１８０ｂに排出するよう搬送部１１０を制御し、異常起因用紙と残留用紙とをリカバリ処理として再び画像形成するよう制御する制御部を備え、実行中の先行画像形成に続く後続画像形成について、重複出力が許容される場合には先行画像形成に連続して後続画像形成を実行し、重複出力が許容されない場合には先行画像形成が実行中は後続画像形成の開始を保留するよう画像形成部１５０を制御する。【選択図】図１
2019006083.tif 000002
【特許請求の範囲】
【請求項１】
用紙に画像形成する画像形成部と、
前記用紙が排出される第１排出部と、
前記第１排出部と異なる位置に設けられて前記用紙が排出される第２排出部と、
前記用紙を前記第１排出部又は前記第２排出部に搬送する搬送部と、
搬送される前記用紙の異常を検知する異常検知部と、
前記異常検知部の検知結果を参照して前記画像形成部の画像形成と前記搬送部の搬送とを制御する制御部と、
を有する画像形成装置であって、
前記制御部は、
前記異常検知部により異常が検知された場合に、異常が検知された用紙を異常起因用紙、該異常起因用紙よりも搬送の上流で残留している用紙を残留用紙、とした場合に、
正常に画像形成された前記用紙を前記第１排出部に排出するように前記搬送部を制御し、
前記異常検知部により異常が検知された場合における前記残留用紙をパージ処理として前記第２排出部に排出するよう前記搬送部を制御すると共に、前記残留用紙と同じ画像をリカバリ処理として再び画像形成するよう前記画像形成部を制御し、
複数の画像形成が連続する場合に、
前記画像形成部が実行中の先行画像形成に続く後続画像形成について、前記パージ処理と前記リカバリ処理とによる重複出力が許容されるか否かに応じて、重複出力が許容される場合には前記先行画像形成に連続して前記後続画像形成を実行し、重複出力が許容されない場合には前記先行画像形成が実行中は前記後続画像形成の開始を保留するよう前記画像形成部を制御する、
ことを特徴とする画像形成装置。
【請求項２】
前記制御部は、前記パージ処理を実行しない設定である場合、又は、前記パージ処理を実行するものの前記リカバリ処理を実行しない設定である場合に、重複出力が許容されない場合の保留を解除し、前記先行画像形成に連続して前記後続画像形成を実行するよう前記画像形成部を制御する、
ことを特徴とする請求項１に記載の画像形成装置。
【請求項３】
前記制御部は、重複出力が許容されない場合において、前記先行画像形成が実行中は前記後続画像形成の開始を保留し、前記先行画像形成により画像形成された前記用紙が前記第１排出部に排出されたことが検知された時点で前記保留を解除する、
ことを特徴とする請求項１乃至請求項２のいずれか一項に記載の画像形成装置。
【請求項４】
前記制御部は、
前記先行画像形成により画像形成される前記用紙の排出先と前記後続画像形成により画像形成される前記用紙の排出先とが異なる設定であり、
重複出力が許容されない場合において、前記先行画像形成が実行中は前記後続画像形成の開始を保留し、前記後続画像形成により画像形成される前記用紙が通過しない搬送経路に前記先行画像形成により画像形成された前記用紙が位置した時点で前記保留を解除する、
ことを特徴とする請求項１乃至請求項３のいずれか一項に記載の画像形成装置。
【請求項５】
前記制御部は、重複出力が許容されない場合において、前記先行画像形成が実行中は前記後続画像形成の開始を保留し、前記先行画像形成により画像形成された前記用紙について異常が発生しない位置に搬送された時点で前記保留を解除する、
ことを特徴とする請求項１乃至請求項４のいずれか一項に記載の画像形成装置。
【請求項６】
前記制御部は、前記後続画像形成について、予め定められたジョブ種に該当する場合、前記用紙が予め定められ紙種に該当する場合、又は、重複出力が許容されない旨の設定がなされた場合、のいずれかに該当する場合に、重複出力が許容されない場合として前記先行画像形成が実行中は前記後続画像形成の開始を保留する、
ことを特徴とする請求項１乃至請求項５のいずれか一項に記載の画像形成装置。
【請求項７】
用紙に画像形成する画像形成部と、
前記用紙が排出される第１排出部と、
前記第１排出部と異なる位置に設けられて前記用紙が排出される第２排出部と、
前記用紙を前記第１排出部又は前記第２排出部に搬送する搬送部と、
搬送される前記用紙の異常を検知する異常検知部と、
前記異常検知部の検知結果を参照して前記画像形成部の画像形成と前記搬送部の搬送とを制御する制御部と、
を有する画像形成システムであって、
前記制御部は、
前記異常検知部により異常が検知された場合に、異常が検知された用紙を異常起因用紙、該異常起因用紙よりも搬送の上流で残留している用紙を残留用紙、とした場合に、
正常に画像形成された前記用紙を前記第１排出部に排出するように前記搬送部を制御し、
前記異常検知部により異常が検知された場合における前記残留用紙をパージ処理として前記第２排出部に排出するよう前記搬送部を制御し、
前記残留用紙と同じ画像をリカバリ処理として再び画像形成するよう前記画像形成部を制御し、
複数の画像形成が連続する場合に、前記画像形成部が実行中の先行画像形成に続く後続画像形成について、前記パージ処理と前記リカバリ処理とによる重複出力が許容されるか否かに応じて、重複出力が許容される場合には前記先行画像形成に連続して前記後続画像形成を実行し、重複出力が許容されない場合には前記先行画像形成が実行中は前記後続画像形成の開始を保留するよう前記画像形成部を制御する、
ことを特徴とする画像形成システム。
【請求項８】
用紙に画像形成する画像形成部と、前記用紙が排出される第１排出部と、前記第１排出部と異なる位置に設けられて前記用紙が排出される第２排出部と、前記用紙を前記第１排出部又は前記第２排出部に搬送する搬送部と、搬送される前記用紙の異常を検知する異常検知部と、前記異常検知部の検知結果を参照して前記画像形成部の画像形成と前記搬送部の搬送とを制御する制御部と、を有する画像形成装置を制御する制御プログラムであって、
前記異常検知部により異常が検知された場合に、異常が検知された用紙を異常起因用紙、該異常起因用紙よりも搬送の上流で残留している用紙を残留用紙、とした場合に、
正常に画像形成された前記用紙を前記第１排出部に排出するように前記搬送部を制御し、
前記異常検知部により異常が検知された場合における前記残留用紙をパージ処理として前記第２排出部に排出するよう前記搬送部を制御すると共に、前記残留用紙と同じ画像をリカバリ処理として再び画像形成するよう前記画像形成部を制御し、
複数の画像形成が連続する場合に、前記画像形成部が実行中の先行画像形成に続く後続画像形成について、前記パージ処理と前記リカバリ処理とによる重複出力が許容されるか否かに応じて、重複出力が許容される場合には前記先行画像形成に連続して前記後続画像形成を実行し、重複出力が許容されない場合には前記先行画像形成が実行中は前記後続画像形成の開始を保留するよう前記画像形成部を制御する、
ように画像形成装置のコンピュータを機能させる画像形成制御プログラム。
【発明の詳細な説明】
【技術分野】
【０００１】
本発明は、画像形成装置及び画像形成システム並びに画像形成制御プログラムにおいて、紙詰まり（ジャム）によるパージ処理やリカバリ処理に伴って確実な出力物を得る技術に関する。
【背景技術】
【０００２】
多様な印刷がなされた用紙をそれぞれ適切に出力するため、画像形成された用紙に対して各種の処理を施す後処理部が画像形成部の後段に接続されて画像形成装置が構成されることがある。このような場合、画像形成装置内部に画像形成されてから排出されるまでの用紙が複数枚同時に存在した状態になっている。
【０００３】
ところで、排出途中の用紙にジャム等の異常が発生した場合に、この異常が発生した用紙（異常起因用紙）の後続の正常な残留用紙にダメージを与えないように停止させた上で、扉等の搬送路を開いて異常起因用紙を除去し、扉等を閉じた後に、画像形成装置内に残留している残留用紙をパージ（purge：除去）処理として通常とは別のトレイに排出する機能が存在している。
【０００４】
また、この後に、リカバリ処理として、異常起因用紙やパージ処理された残留用紙などの正常に排出されなかった用紙の画像形成を再度実行する機能が存在している。
以下、このジャム発生時のパージ処理とリカバリ処理について図を参照して説明する。
画像形成装置１００では、先行して実行される第一の画像形成と、第一の画像形成に続いて実行される後続の第二の画像形成を実行するとき、通常は、第一の画像形成による画像形成済の用紙Ｐ１の排出が完了する前に、第二の画像形成を開始する。
【０００５】
この場合、図７に示すように、画像形成装置１００内部の搬送経路１１０の下流（画像形成部１５０から遠い方）に第一の画像形成による画像形成済みの用紙Ｐ１が、搬送経路の上流（画像形成部１５０に近い方）に第二の画像形成による画像形成済みの用紙Ｐ２が、画像形成装置１００内に同時に存在する状態が発生する。なお、用紙Ｐ１と用紙Ｐ２とは、第１排出部１８０ａに向けて搬送されている。
【０００６】
この状態で、図８のように、第一の画像形成による画像形成済みの用紙Ｐ１の搬送にジャムが発生した場合、第二の画像形成による画像形成済みの用紙Ｐ２の搬送を続行すると第二の画像形成による画像形成済み用紙がジャム箇所に搬送されることで第二の画像形成による画像形成済み用紙もジャムとなってしまい、復旧に手間を要してしまう。
【０００７】
そこで、このようなジャムの連鎖を防止するため、画像形成装置１００は、用紙Ｐ１のジャムを検出すると後続の用紙Ｐ２の搬送経路を通常の搬送経路からパージ搬送経路に切り替え、画像形成装置１００内に残留している画像形成済みの用紙Ｐ２を本来排出される第１排出部１８０ａとは別の第２排出部１８０ｂに自動的に排出する機能（パージ機能）を備えることがある（図９参照）。
【０００８】
このパージ機能を備える場合、図９のように、第一の画像形成による画像形成済みの用紙Ｐ１の搬送においてジャムが発生した場合、第二の画像形成による画像形成済みの用紙Ｐ２は排出設定されている本来の第１排出部１８０ａとは別の第２排出部１８０ｂに排出される。
【０００９】
このとき、ジャムの連鎖は防止されるものの、第二の画像形成は正常な排出が行われていないため、自動的に（あるいはユーザ操作によって）第二の画像形成と同一の画像が形成される第三の画像形成（リカバリ処理）が行われる場合がある。
この場合、図１０に示すように、パージにより本来の第１排出部１８０ａとは別の第２排出部１８０ｂに排出された第二の画像形成による画像形成済みの用紙Ｐ２と、リカバリ処理により第二の画像形成と同一の内容で画像形成が行われ、かつ本来の第１排出部１８０ａに排出された画像形成済みの用紙Ｐ２（２）とが、同じ内容の画像形成がなされた状態で別々に画像形成装置１００外部に排出された状態（以下、重複出力と記載する）となる。
【００１０】
この場合ユーザは、本来排出される第１排出部１８０ａとは別の第２排出部１８０ｂから回収した用紙が正常に印刷完了した用紙であると誤って認識する場合がある。
ここで第二の画像形成が、例えば商品の発注のために送信されたFAXを受信した受信FAX印刷ジョブによる画像形成であるとき、ユーザ（FAXの受信者）はFAXの送信者がどのような内容で何枚送信したかを認知できないため、第二の画像形成による画像形成済みの用紙Ｐ２と、第三の画像形成による画像形成済みの用紙Ｐ２（２）とを見て別々の発注であると誤認識してしまう可能性があり、送信者、受信者ともに許容できない問題となってしまう。
【００１１】
なお、ジャム発生時の用紙の取り扱いについては、以下の特許文献に各種の提案がなされている。
【先行技術文献】
【特許文献】
【００１２】
【特許文献１】特開２００１−１５４５６２号公報
【発明の概要】
【発明が解決しようとする課題】
【００１３】
以上の特許文献１では、連続動作（前ジョブの最終頁の画像形成完了時に次ジョブを開始する）と、排他動作（画像形成装置から前ジョブの最終頁が排出されたことをセンサで検知した後に次ジョブを開始する）とが記載されている。しかしながら、本先行技術には連続動作と排他動作との切り替えについては記載されておらず、出力物の属性（重複出力が許容されるか、されないか）によって動的に切り替える記載はない。したがって、重複出力が許容されるにも関わらず排他動作を実施してしまい、生産性が低下してしまうという課題がある。
【００１４】
なお、第二の画像形成が受信FAX印刷ジョブによるものである場合にパージ機能を動作させずに搬送経路内で停止させたままにすることで重複出力は回避する方法も考えられる。しかしながら、この場合、搬送経路内の画像形成済み用紙をユーザが取り除く手間がかかり、生産性も低下してしまう。
【００１５】
また、第二の画像形成による画像形成済み用紙がパージによって排出された場合でも正常な排出完了と扱うことでも重複出力は回避する方法も考えられる。しかしながら、第二の画像形成による画像形成済み用紙は、本来排出される第１排出部とは異なる第２排出部に排出されているため、受信者がＦＡＸを受信したことを見落としたり誤って廃棄したりする可能性があり、発注の確認漏れとなりこれも許容できない問題となってしまう。
【００１６】
すなわち、以上の各特許文献１記載の技術や、その他の予想される解決策をもってしても、パージ処理とリカバリ処理とによる重複出力の問題については、生産性や手間を犠牲にしないと解決することができないという問題が残っている。
本発明はこのような課題に鑑みてなされたものであって、異常発生時にパージ処理とリカバリ処理とを実行する画像形成において、生産性を維持しつつ、許容されない重複出力を有効に防止することが可能な、画像形成装置及び画像形成システム並びに画像形成制御プログラムを実現することを目的とする。
【課題を解決するための手段】
【００１７】
すなわち、前記した課題を解決すべく、本発明の一側面が反映された画像形成装置と画像形成システムと画像形成制御プログラムとは、以下に説明するものである。
（１）本発明の一側面が反映された画像形成装置は、用紙に画像形成する画像形成部と、前記用紙が排出される第１排出部と、前記第１排出部と異なる位置に設けられて前記用紙が排出される第２排出部と、前記用紙を前記第１排出部又は前記第２排出部に搬送する搬送部と、搬送される前記用紙の異常を検知する異常検知部と、前記異常検知部の検知結果を参照して前記画像形成部の画像形成と前記搬送部の搬送とを制御する制御部と、を有する画像形成装置であって、前記制御部は、前記異常検知部により異常が検知された場合に、異常が検知された用紙を異常起因用紙、該異常起因用紙よりも搬送の上流で残留している用紙を残留用紙、とした場合に、正常に画像形成された前記用紙を前記第１排出部に排出するように前記搬送部を制御し、前記異常検知部により異常が検知された場合における前記残留用紙をパージ処理として前記第２排出部に排出するよう前記搬送部を制御すると共に、前記残留用紙と同じ画像をリカバリ処理として再び画像形成するよう前記画像形成部を制御し、複数の画像形成が連続する場合に、前記画像形成部が実行中の先行画像形成に続く後続画像形成について、前記パージ処理と前記リカバリ処理とによる重複出力が許容されるか否かに応じて、重複出力が許容される場合には前記先行画像形成に連続して前記後続画像形成を実行し、重複出力が許容されない場合には前記先行画像形成が実行中は前記後続画像形成の開始を保留するよう前記画像形成部を制御する、ことを特徴とする。
【００１８】
また、本発明の一側面が反映された画像形成システムは、用紙に画像形成する画像形成部と、前記用紙が排出される第１排出部と、前記第１排出部と異なる位置に設けられて前記用紙が排出される第２排出部と、前記用紙を前記第１排出部又は前記第２排出部に搬送する搬送部と、搬送される前記用紙の異常を検知する異常検知部と、前記異常検知部の検知結果を参照して前記画像形成部の画像形成と前記搬送部の搬送とを制御する制御部と、を有する画像形成システムであって、前記制御部は、前記異常検知部により異常が検知された場合に、異常が検知された用紙を異常起因用紙、該異常起因用紙よりも搬送の上流で残留している用紙を残留用紙、とした場合に、正常に画像形成された前記用紙を前記第１排出部に排出するように前記搬送部を制御し、前記異常検知部により異常が検知された場合における前記残留用紙をパージ処理として前記第２排出部に排出するよう前記搬送部を制御すると共に、前記残留用紙と同じ画像をリカバリ処理として再び画像形成するよう前記画像形成部を制御し、複数の画像形成が連続する場合に、前記画像形成部が実行中の先行画像形成に続く後続画像形成について、前記パージ処理と前記リカバリ処理とによる重複出力が許容されるか否かに応じて、重複出力が許容される場合には前記先行画像形成に連続して前記後続画像形成を実行し、重複出力が許容されない場合には前記先行画像形成が実行中は前記後続画像形成の開始を保留するよう前記画像形成部を制御する、ことを特徴とする。
【００１９】
また、本発明の一側面が反映された画像形成制御プログラムは、用紙に画像形成する画像形成部と、前記用紙が排出される第１排出部と、前記第１排出部と異なる位置に設けられて前記用紙が排出される第２排出部と、前記用紙を前記第１排出部又は前記第２排出部に搬送する搬送部と、搬送される前記用紙の異常を検知する異常検知部と、前記異常検知部の検知結果を参照して前記画像形成部の画像形成と前記搬送部の搬送とを制御する制御部と、を有する画像形成装置を制御する制御プログラムであって、前記異常検知部により異常が検知された場合に、異常が検知された用紙を異常起因用紙、該異常起因用紙よりも搬送の上流で残留している用紙を残留用紙、とした場合に、正常に画像形成された前記用紙を前記第１排出部に排出するように前記搬送部を制御し、前記異常検知部により異常が検知された場合における前記残留用紙をパージ処理として前記第２排出部に排出するよう前記搬送部を制御すると共に、前記残留用紙と同じ画像をリカバリ処理として再び画像形成するよう前記画像形成部を制御し、複数の画像形成が連続する場合に、前記画像形成部が実行中の先行画像形成に続く後続画像形成について、前記パージ処理と前記リカバリ処理とによる重複出力が許容されるか否かに応じて、重複出力が許容される場合には前記先行画像形成に連続して前記後続画像形成を実行し、重複出力が許容されない場合には前記先行画像形成が実行中は前記後続画像形成の開始を保留するよう前記画像形成部を制御する、ように画像形成装置のコンピュータを機能させることを特徴とする。
【００２０】
（２）以上の（１）において、前記制御部は、前記パージ処理を実行しない設定である場合、又は、前記パージ処理を実行するものの前記リカバリ処理を実行しない設定である場合に、重複出力が許容されない場合の保留を解除し、前記先行画像形成に連続して前記後続画像形成を実行するよう前記画像形成部を制御する、ことを特徴とする。
【００２１】
（３）以上の（１）〜（２）において、前記制御部は、重複出力が許容されない場合において、前記先行画像形成が実行中は前記後続画像形成の開始を保留し、前記先行画像形成により画像形成された前記用紙が前記第１排出部に排出されたことが検知された時点で前記保留を解除する、ことを特徴とする。
【００２２】
（４）以上の（１）〜（３）において、前記制御部は、前記先行画像形成により画像形成される前記用紙の排出先と前記後続画像形成により画像形成される前記用紙の排出先とが異なる設定であり、重複出力が許容されない場合において、前記先行画像形成が実行中は前記後続画像形成の開始を保留し、前記後続画像形成により画像形成される前記用紙が通過しない搬送経路に前記先行画像形成により画像形成された前記用紙が位置した時点で前記保留を解除する、ことを特徴とする。
【００２３】
（５）以上の（１）〜（４）において、前記制御部は、重複出力が許容されない場合において、前記先行画像形成が実行中は前記後続画像形成の開始を保留し、前記先行画像形成により画像形成された前記用紙について異常が発生しない位置に搬送された時点で前記保留を解除する、ことを特徴とする。
【００２４】
（６）以上の（１）〜（５）において、前記制御部は、前記後続画像形成について、予め定められたジョブ種に該当する場合、前記用紙が予め定められ紙種に該当する場合、又は、重複出力が許容されない旨の設定がなされた場合、のいずれかに該当する場合に、重複出力が許容されない場合として前記先行画像形成が実行中は前記後続画像形成の開始を保留する、ことを特徴とする。
【発明の効果】
【００２５】
本発明の一側面が反映された画像形成装置と画像形成システムと画像形成制御プログラムでは、以下のような効果を奏することができる。
（１）パージ処理とリカバリ処理による重複出力が許容される場合には先行画像形成に連続して後続画像形成を実行し、生産性を向上させることができる。そして、パージ処理とリカバリ処理による重複出力が許容されない場合には先行画像形成が実行中は後続画像形成の開始を保留することで、パージ処理とリカバリ処理とが実行されたとしても許容されない重複出力を有効に防止することが可能になる。
【００２６】
（２）以上の（１）において、パージ処理を実行しない設定、又は、パージ処理を実行するもののリカバリ処理を実行しない設定である場合に、重複出力が許容されない場合の保留を解除し、先行画像形成に連続して後続画像形成を実行することで、生産性を維持しつつ、重複出力を有効に防止することができる。
【００２７】
（３）以上の（１）〜（２）において、重複出力が許容されない場合において、先行画像形成が実行中は後続画像形成の開始を保留し、先行画像形成により画像形成された用紙の排出が検知された時点で保留を解除することで、生産性の悪化を抑制しつつ、重複出力を有効に防止することができる。
【００２８】
（４）以上の（１）〜（３）において、後続画像形成により画像形成される用紙が通過しない搬送経路に先行画像形成により画像形成された用紙が位置した時点で保留を解除することで、生産性の悪化を抑制しつつ、重複出力を有効に防止することができる。
（５）以上の（１）〜（４）において、先行画像形成の用紙が異常が発生しない位置に搬送された時点で保留を解除することで、生産性の悪化を抑制しつつ、重複出力を有効に防止することができる。
【００２９】
（６）以上の（１）〜（５）において、予め定められたジョブ種、用紙が予め定められ紙種、又は、重複出力が許容されない設定、のいずれかに後続画像形成が該当する場合に、先行画像形成が実行中は後続画像形成の開始を保留することで、必要な重複出力を有効かつ確実に防止しつつ、生産性の悪化を最低限に抑制することが可能になる。
【図面の簡単な説明】
【００３０】
【図１】本発明の実施形態の画像形成装置の構成を示す構成図である。
【図２】本発明の実施形態の画像形成装置の構成を示す構成図である。
【図３】本発明の実施形態の画像形成の動作を示すフローチャートである。
【図４】本発明の実施形態の画像形成の動作を示す説明図である。
【図５】本発明の実施形態の画像形成の動作を示す説明図である。
【図６】本発明の実施形態の画像形成の動作を示す説明図である。
【図７】従来の動作を示す説明図である。
【図８】従来の動作を示す説明図である。
【図９】従来の動作を示す説明図である。
【図１０】従来の動作を示す説明図である。
【発明を実施するための形態】
【００３１】
以下、図面を参照して本発明を実施するための形態（以下、実施形態）を詳細に説明する。
〔全体構成〕
図１と図２を参照して、本実施の形態に係る画像形成装置の構成について説明する。なお、ここでは、各部が一体に構成された画像形成装置を具体例にしているが、各部が用紙の流れに沿って別装置として接続された画像形成システムであっても良い。
【００３２】
図１では画像形成装置各部の構成要素を機能別に図示している。また、図２では画像形成装置各部の概略断面構成を、用紙の搬送状態に合わせて模式的に図示している。
図１と図２に示すように、この画像形成装置１００は、制御部１０１と、通信部１０２と、操作表示部１０３と、記憶部１０４と、給紙部１０５と、搬送部１１０と、異常検知部１１５と、原稿読込部１２０と、画像データ記憶部１３０と、画像処理部１４０と、画像形成部１５０と、排出部１８０と、を備えて構成されている。
【００３３】
ここで、制御部１０１は、画像形成装置１００内の各部を制御する。通信部１０２は、接続されている他の装置と通信する。操作表示部１０３は、操作者による操作入力に応じた操作入力信号を制御部１０１に通知すると共に画像形成装置１００の状態表示とを行う。記憶部１０４は、制御プログラム及び各種設定データを記憶すると共に制御プログラムのワークエリアとして使用される。給紙部１０５は、収容されている用紙を給紙する。搬送部１１０は、給紙され画像形成される用紙を所定速度で搬送する。異常検知部１１５は、各部に配置されたセンサによりジャム検知を行う。原稿読込部１２０は、原稿をスキャンして画像データを生成する。画像データ記憶部１３０は、画像形成する際のイメージデータや各種データを記憶する。画像処理部１４０は、画像形成に必要な各種画像処理を実行する。画像形成部１５０は、画像形成命令と画像処理後のイメージデータとに基づいて印刷（以下、「画像形成」と言う）を実行する。排出部１８０は、第１排出部１８０ａ，第２排出部１８０ｂ，第３排出部１８０ｃ等の複数の排出部を備えて構成され、画像形成された用紙や、パージ処理による残留用紙が排出される。
【００３４】
ここで、制御部１０１は、異常が検知された用紙を異常起因用紙、該異常起因用紙よりも搬送の上流で残留している用紙を残留用紙、とした場合に、正常に画像形成された用紙を所定の排出部（例えば、第１排出部１８０ａ）に排出するように搬送部１１０を制御し、異常検知部１１５により異常が検知された場合における残留用紙をパージ処理として所定以外の他の排出部（例えば、第２排出部１８０ｂ）に排出するよう搬送部１１０を制御すると共に、少なくとも残留用紙と同じ画像をリカバリ処理として再び画像形成するよう画像形成部１５０を制御する。更に、制御部１０１は、画像形成部１５０が実行中の先行画像形成に続く後続画像形成について、パージ処理とリカバリ処理とによる重複出力が許容されるか否かに応じて、重複出力が許容される場合には先行画像形成に連続して後続画像形成を実行し、重複出力が許容されない場合には先行画像形成が実行中は後続画像形成の開始を保留するよう画像形成部１５０を制御する。
【００３５】
なお、以上の画像形成装置１００について、画像形成部１５０と排出部１８０とを別筐体で構成してから用紙の流れに沿って接続する画像形成システムとして構成しても良い。なお、画像形成システムとした場合にも、制御部１０１が画像形成システム全体を制御する。
【００３６】
〔実施形態の動作〕
〔全体動作〕
以下、本実施形態の画像形成装置及び画像形成システム並びに画像形成制御プログラムについて、図３のフローチャートや図４以降の動作状態説明図を参照して動作手順に従って説明する。なお、画像形成装置１００に含まれる制御部１０１の処理は、画像形成制御プログラムに従って実行される。
【００３７】
ここで、図３は本実施形態の画像形成装置において制御部１０１により実行される特徴的な処理の手順を示すフローチャートである。
なお、前提として、この実施形態では、原則として、異常検知部１１５により異常が検知された場合における残留用紙をパージ処理として第２排出部１８０ｂに排出するよう搬送部１１０を制御すると共に、残留用紙と同じ画像をリカバリ処理として再び画像形成するよう前記画像形成部を制御する。
【００３８】
まず、制御部１０１は、操作表示部１０３や外部コンピュータからの次の用紙についての画像形成の要求が生じていないかを監視している（図３中のステップＳ１０１）。ここでは、次の用紙に対して新たに発生する画像形成を、次の画像形成と呼ぶことにする。次の画像形成の要求が発生していなければ（図３中のステップＳ１０１でＮＯ）、一定時間待ってから、再び次の画像形成が要求されているかを確認する（図３中のステップＳ１０１）。
【００３９】
なお、この説明において、前の画像形成とは実行中の先行画像形成を意味し、次の画像形成とはこれから実行を開始する後続画像形成を意味する。
また、次の画像形成とは、同じジョブにおける前の用紙（ページ）の画像形成に続く次の用紙（ページ）の画像形成の要求のほか、前のジョブの最終用紙が終了した場合の次のジョブの最初の用紙の画像形成の要求などが該当する。
【００４０】
次の画像形成が要求されていれば（図３中のステップＳ１０１でＹＥＳ）、画像形成部１５０が画像形成を実施可能かどうかを確認する（図３中のステップＳ１０２）。画像形成が実施可能でないとは、例えば、前の画像形成についての一連の処理が完了していないことや、次の画像形成のための準備が完了していないことなどを意味する。なお、画像データ記憶部１３０や画像処理部１４０の動作可能か否かを同時に確認しても良い。画像形成部１５０が次の画像形成を実施可能でなければ（図３中のステップＳ１０２でＮＯ）、一定時間が経過するのを待ってから、再び、画像形成部１５０が画像形成を実施可能かどうかを確認する（図３中のステップＳ１０２）。
【００４１】
画像形成部１５０が次の画像形成を実施で可能であれば（図３中のステップＳ１０２でＹＥＳ）、制御部１０１は、次の画像形成においてジャム発生時にパージ処理とリカバリ処理とを実行する設定であるかを確認する（図３中のステップＳ１０３）。
ここで、次の画像形成においてジャム発生時にパージ処理を実行しない設定である場合、又は、ジャム発生時にパージ処理を実行するもののリカバリ処理を実行しない設定である場合に（図３中のステップＳ１０３でＮＯ）、制御部１０１は、前の画像形成の用紙が搬送部に存在していても、重複出力は発生しないため、次の画像形成の開始を画像形成部１５０に要求する（図３中のステップＳ１０８）。この場合、前の画像形成と後の画像形成とは、所定の紙間隔をあけて連続した状態で実行される。
【００４２】
画像形成部１５０が次の画像形成を実施で可能であり（図３中のステップＳ１０２でＹＥＳ）、次の画像形成においてジャム発生時にパージ処理とリカバリ処理を実行する設定である場合に（図３中のステップＳ１０３でＹＥＳ）、制御部１０１は、次の画像形成で重複出力を許容されるかを確認する（図３中のステップＳ１０４）。
【００４３】
ここで、重複出力とは、図１０に示すように、第一の画像形成で異常が発生した後にパージ処理により本来の排出部１８０ａとは別の排出部１８０ｂに排出された第二の画像形成による画像形成済みの用紙Ｐ２と、その後のリカバリ処理により第二の画像形成と同一の内容で第三の画像形成が行われて本来の排出部１８０ａに排出される画像形成済みの用紙Ｐ２（２）とで、同じ内容の二つの画像形成が出力されることを意味している。
【００４４】
そして、重複出力を許容されるかどうかは、ジョブ種別、紙種、初期設定又はユーザ設定、により決定される。例えば、ジョブ種別がＦＡＸ受信出力や機密プリント等の特定の種別である場合、普通紙以外（例えば、塗工紙など）の紙種の場合、初期設定やユーザ設定がなされている場合、などでは重複出力禁止に該当すると制御部１０１が判断する。なお、ジョブ種別としては、ＦＡＸ受信や機密プリント以外にも、重複出力が望ましくない性質のジョブに対しては同様に重複出力禁止と扱って良い。なお、この設定は、初期設定やユーザ設定として、記憶部１０４に格納されている。
【００４５】
ここで、ジョブがＦＡＸ受信出力や機密プリントではなく、紙種は普通紙であり、初期設定やユーザ設定でも重複出力禁止がなされていない場合には、生産性を最重視し、重複出力を許容として処理を進める。
次の画像形成が重複出力を許容されるならば（図３中のステップＳ１０４でＹＥＳ）、制御部１０１は、前の画像形成の用紙が搬送部に存在していても、重複出力は問題にならないため、次の画像形成の開始を画像形成部１５０に要求する（図３中のステップＳ１０８）。この場合、前の画像形成と後の画像形成とは、所定の紙間隔をあけて連続した状態で実行される。
【００４６】
なお、制御部１０１が画像形成部１５０に画像形成を要求するとは、実際には、指定された画像データに基づいて用紙上に画像を形成するように、給紙部１０５、搬送部１１０、画像データ記憶部１３０、画像処理部１４０、画像形成部１５０の各部を制御することを意味する。
【００４７】
次の画像形成が重複出力を許容されないならば（図３中のステップＳ１０４でＮＯ）、制御部１０１は、前の画像形成に係る用紙の搬送経路上の位置と次の画像形成に係る用紙の搬送経路とを取得する（図３中のステップＳ１０５）。
ここで、制御部１０１は、取得した搬送経路の情報を参照し、前の画像形成に係る用紙の搬送経路上の位置が、次の画像形成に係る用紙の搬送経路上にあるかを確認する（図３中のステップＳ１０６）。
【００４８】
前の画像形成に係る用紙の搬送経路上の位置が次の画像形成に係る用紙の搬送経路上でなければ（図３中のステップＳ１０６でＮＯ）、重複出力は発生しないため、制御部１０１は、次の画像形成の開始を画像形成部１５０に要求する（図３中のステップＳ１０８）。この場合、前の画像形成と後の画像形成とは、所定の紙間隔をあけて連続した状態で実行される。
【００４９】
前の画像形成に係る用紙の搬送経路上の位置が次の画像形成に係る用紙の搬送経路上であった場合は（図５中のステップＳ１０６でＹＥＳ）、制御部１０１は、前の画像形成に係る用紙の搬送経路上の位置が、ジャムを発生することがない位置であるかを確認する（図３中のステップＳ１０７）。ここで、前の画像形成に係る用紙の搬送経路上の位置が、ジャムを発生することがない位置であるとは、搬送経路上の最終の駆動ローラを抜けた位置に用紙が存在しているか、あるいは、用紙が排出部上に存在しているか、を意味する。
【００５０】
前の画像形成に係る用紙の搬送経路上の位置がジャムを発生することがない位置であれば（図３中のステップＳ１０７でＹＥＳ）、重複出力は発生しないため、制御部１０１は、次の画像形成の開始を画像形成部１５０に要求する（図３中のステップＳ１０８）。この場合、前の画像形成と後の画像形成とは、パージ処理によるリカバリ処理に該当しないような搬送状態でそれぞれ実行されることになる。
【００５１】
一方、前の画像形成に係る用紙の搬送経路上の位置が次の画像形成に係る用紙の搬送経路上であり（図５中のステップＳ１０６でＹＥＳ）、前の画像形成に係る用紙の搬送経路上の位置がジャムを発生することがない位置ではない場合（図３中のステップＳ１０７でＮＯ）には、制御部１０１は、一定時間待ってから再び、前の画像形成に係る用紙の搬送経路上の位置の取得（図３中のステップＳ１０５）に戻る。
【００５２】
なお、このステップＳ１０７でＮＯに該当してステップＳ１０５に戻る動作が、「重複出力が許容されない場合に先行画像形成が実行中は後続画像形成の開始を保留する」制御に該当する。
そして、前の画像形成に係る用紙の搬送経路上の位置が次の画像形成に係る用紙の搬送経路上でなく（図３中のステップＳ１０６でＮＯ）、次の画像形成の開始を画像形成部１５０に要求（図３中のステップＳ１０８）した場合、又は、前の画像形成に係る用紙の搬送経路上の位置がジャムを発生することがない位置であり（図３中のステップＳ１０７でＹＥＳ）、次の画像形成の開始を画像形成部１５０に要求した場合（図３中のステップＳ１０８）には、制御部１０１は、以下のように終了確認を行う（図３中のステップＳ１０９）。
【００５３】
すなわち、制御部１０１は、全ての用紙の画像形成が完了していない場合（図３中のステップＳ１０９でＮＯ）にはステップＳ１０１に戻って更に次の画像形成の開始に備え、全ての用紙の画像形成が完了している場合（図３中のステップＳ１０９でＹＥＳ）には動作を終了するように各部を制御する（図３中のエンド）。
【００５４】
以上のような動作により、パージ処理とリカバリ処理による重複出力が許容される場合には前の画像形成に連続して次の画像形成を実行し、生産性を向上させることができる。
そして、パージ処理とリカバリ処理による重複出力が許容されない場合には前の画像形成が実行中は次の画像形成の開始を保留することで、パージ処理とリカバリ処理とが実行されたとしても重複出力を有効に防止することが可能になる。
【００５５】
〔実施形態の動作の具体的状態〕
ここで、以上のフローチャート中で示した状態を具体的に図示して説明する。
図４は、前の画像形成に係る用紙の搬送経路上の位置が次の画像形成に係る用紙の搬送経路上である場合を示す。ここで、前の画像形成に係る用紙Ｐ１の排出先は第１排出部１８０ａ、次の画像形成に係る用紙Ｐ２の排出先も第１排出部１８０ａであるとする。この場合、前の画像形成に係る用紙Ｐ１の搬送経路上の位置が、次の画像形成に係る用紙の搬送経路（画像形成部１５０の転写位置〜第１排出部１８０ａ）上であるため、この時点では、次の画像形成の用紙Ｐ２は、制御部１０１の指示により、画像形成部１５０のレジストローラ等の用紙待機位置で待機（画像形成の開始を保留）している。このため、仮に前の画像形成に係る用紙Ｐ１にジャム等が発生しても、次の画像形成に係る用紙Ｐ２は保留状態であって、パージ処理による残留用紙の重複出力の問題は発生しない。
【００５６】
図５は、前の画像形成に係る用紙の搬送経路上の位置が、次の画像形成に係る用紙の搬送経路上ではない場合を示す。ここで、前の画像形成に係る用紙Ｐ１の排出先は第３排出部１８０ｃ、次の画像形成に係る用紙Ｐ２の排出先は第１排出部１８０ａであるとする。この場合、前の画像形成に係る用紙Ｐ１の搬送経路上の位置が、次の画像形成に係る用紙の搬送経路上（画像形成部１５０の転写位置〜第１排出部１８０ａ）ではないため、仮に前の画像形成に係る用紙Ｐ１にジャム等が発生しても、次の画像形成に係る用紙Ｐ２は指定されている第１排出部１８０ａに正常に排出可能であり、パージ処理による残留用紙の重複出力の問題は発生しない。このため、次の画像形成の用紙Ｐ２は、制御部１０１の指示により、画像形成部１５０の画像形成が開始される。
【００５７】
図６は、前の画像形成に係る用紙の搬送経路上の位置が、次の画像形成に係る用紙の搬送経路上であるが、ジャムを発生することがない位置である場合を示す。ここで、前の画像形成に係る用紙Ｐ１の排出先は第１排出部１８０ａ、次の画像形成に係る用紙Ｐ２の排出先は第１排出部１８０ａで同じであるとする。この場合、前の画像形成に係る用紙Ｐ１の搬送経路上の位置が、次の画像形成に係る用紙Ｐ２と同じ搬送経路上に存在しているが、搬送経路上の最終の駆動ローラを抜けた位置に用紙が存在しているため、ジャムを発生することがない。従って、次の画像形成に係る用紙Ｐ２は、前の画像形成に係る用紙Ｐ１のジャム等の影響を受けず、指定されている第１排出部１８０ａに正常に排出可能であり、パージ処理による残留用紙の重複出力の問題は発生しない。このため、次の画像形成の用紙Ｐ２は、制御部１０１の指示により、画像形成部１５０の画像形成が開始される。
【００５８】
〔その他の実施形態〕
以上の説明では、排出部として複数の排出先を有する画像形成装置１００を具体例にしていたが、これに限定されるものではない。例えば、画像形成装置と後処理装置や排出装置とが用紙の流れに沿って接続された画像形成システムにおいて、後処理装置や排出装置で排出されるような場合でも、本実施例を適用して良好な効果を得ることができる。
【符号の説明】
【００５９】
１００  画像形成装置
１０１  制御部
１０２  通信部
１０４  記憶部
１０３  操作表示部
１０５  給紙部
１１０  搬送部
１１５  異常検知部
１２０  原稿読込部
１３０  画像データ記憶部
１４０  画像処理部
１５０  画像形成部
１８０  排出部
【図１】
2019006083.tif 000003
【図２】
2019006083.tif 000004
【図３】
2019006083.tif 000005
【図４】
2019006083.tif 000006
【図５】
2019006083.tif 000007
【図６】
2019006083.tif 000008
【図７】
2019006083.tif 000009
【図８】
2019006083.tif 000010
【図９】
2019006083.tif 000011
【図１０】
2019006083.tif 000012